(57)【特許請求の範囲】
【請求項１】
皿状部材と、該皿状部材の開口面側に合わせて着脱可能に組合わせセットされるカバー状部材とを備え、皿状部材およびカバー状部材内に遊技機を制御する制御基板が収容される遊技機用の基板ケースにおいて、
前記皿状部材およびカバー状部材の一方に一体成型された第１連結部と、
前記皿状部材およびカバー状部材の他方に一体成型され、前記皿状部材およびカバー状部材を組合わせセットした際に前記第１連結部に当接する第２連結部と、
前記第２連結部の外側に頭部を臨ませて両連結部を連結固定する固定具と、
前記固定具の頭部を収容する状態で前記両連結部を囲繞し、第２連結部側が開口する有底筒体と、
前記有底筒体に嵌入される封印蓋とを備え、
前記封印蓋は、
前記有底筒体に挿入される軸部の外周面に、突環部が突出形成され、
前記突環部に、前記有底筒体の内周面に当接する周面部が形成されると共に、該突環部における有底筒体に対する嵌入方向の前側端縁に、前記周面部から嵌入方向の前側に向かうにつれて軸中心に向けて傾斜するテーパ面が形成され、
前記封印蓋を有底筒体に嵌入した際に、前記突環部が有底筒体の内周面に食い込んで抜け止めされる
ことを特徴とする遊技機用の基板ケース。
【発明の詳細な説明】
【技術分野】
【０００１】
この発明は、遊技機に設けられる各種電気的部品を制御する制御基板を収容する遊技機用の基板ケースに関するものである。
【背景技術】
【０００２】
例えば遊技機の代表例の一つであるパチンコ機やアレンジボール機では、機内にセットされる遊技盤に、遊技部品としての各種の入賞器具や入球器具が配置される一方、電子制御部品としての図柄表示装置や電動式入賞装置、その他に検出スイッチ,電磁ソレノイド,ランプ類等が配置され、遊技盤内で展開されるパチンコゲームに合わせた効果音や装飾光を含む電子制御ゲームを現出し得るようになっている。そしてこれら各電気的部品類は、基板ケースに収容されて夫々の電子制御ゲームに適した純正の制御基板に集約的に結線されて、主としてゲーム中に発生および成立される設定条件時や特別遊技状態時等において、夫々の可動条件に従って作動制御されるようになっている。この制御基板は、当該のメーカで設計・構成した通りのソフトプログラム内容で、かつ試験機関での厳正な試験に適合した同一内容であることの条件で正常に使用することが義務付けられている。
【０００３】
前記基板ケースは、互いに分離される皿状部材およびカバー状部材から構成され、これら皿状部材とカバー状部材内に前記制御基板が内蔵セットされて単一で取扱い得る箱型単位のユニット状に構成されている。そして、適正な制御内容(ソフトプログラム)で正常に使用することを前提とした不正改造・変更防止対策の一例として、前記皿状部材とカバー状部材との整合部分に筒状部を夫々一体的に形成し、これら筒状部を、不正防止目的で開発されて当該メーカ(専用担当者)のみで管理されるワンウェイネジ、特殊ピン、鋲等の専用固定具で固定することにより、前記皿状部材とカバー状部材とを組付けるようにした技術が提案されている。
【０００４】
しかしながら、皿状部材とカバー状部材を固定した専用固定具の頭部は、筒状部内で露出しているため、外部から筒状部内に挿入したドライバーを頭部に叩き込んだ状態で、専用固定具を引き抜く不正行為が行なわれるおそれがあった。そこで、筒状部内に蓋部材を嵌め込み、該蓋部材で専用固定具の頭部を覆うことで、不正を企てる者が専用固定具に対して直接アクセスするのを防止して不正行為を抑制する提案がなされている(例えば、特許文献１,２,３参照)。
【先行技術文献】
【特許文献】
【０００５】
【特許文献１】特開２００５−１３０９０９号公報
【特許文献２】特開２００５−３４２１９３号公報
【特許文献３】特開平１０−２９０８７０号公報
【発明の概要】
【発明が解決しようとする課題】
【０００６】
特許文献１〜３では、何れも蓋部材に設けた爪状の係合部を、筒状部の内周面に設けた凹状の被係合部に係合することで、該蓋部材が筒状部から引き抜かれるのを防止している。しかるに、爪状の係合部は破損し易いため、専用固定具を引き抜くときと同様な手口で蓋部材を強制的に引き抜くことが可能であった。すなわち、特許文献１〜３に開示の蓋部材では、専用固定具にアクセスするまでに要する時間を稼ぐことができず、不正行為を抑制する効果は低いものであった。また、筒状部の内周面に被係合部を凹状に形成する構成では、筒状部をカバー状部材や皿状部材と一体に成型する際の金型構造が複雑になり、製作コストが嵩む難点が指摘される。
【０００７】
すなわち本発明は、従来の技術に係る遊技機用の基板ケースに内在する前記課題に鑑み、これを好適に解決するべく提案されたものであって、封印蓋の不正な取外しを簡単な構成で防止し得る不正防止効果の高い遊技機用の基板ケースを提供することを目的とする。
【課題を解決するための手段】
【０００８】
前記課題を克服し、所期の目的を達成するため、本願の請求項１に係る発明は、
皿状部材(21)と、該皿状部材(21)の開口面側に合わせて着脱可能に組合わせセットされるカバー状部材(22)とを備え、皿状部材(21)およびカバー状部材(22)内に遊技機を制御する制御基板(16)が収容される遊技機用の基板ケースにおいて、
前記皿状部材(21)およびカバー状部材(22)の一方に一体成型された第１連結部(23)と、
前記皿状部材(21)およびカバー状部材(22)の他方に一体成型され、前記皿状部材(21)およびカバー状部材(22)を組合わせセットした際に前記第１連結部(23)に当接する第２連結部(28)と、
前記第２連結部(28)の外側に頭部(25b)を臨ませて両連結部(23,28)を連結固定する固定具(25)と、
前記固定具(25)の頭部(25b)を収容する状態で前記両連結部(23,28)を囲繞し、第２連結部(28)側が開口する有底筒体(52)と、
前記有底筒体(52)に嵌入される封印蓋(29)とを備え、
前記封印蓋(29)は、
前記有底筒体(52)に挿入される軸部(29a)の外周面に、突環部(30)が突出形成され、
前記突環部(30)に、前記有底筒体(52)の内周面に当接する周面部(30a)が形成されると共に、該突環部(30)における有底筒体(52)に対する嵌入方向の前側端縁に、前記周面部(30a)から嵌入方向の前側に向かうにつれて軸中心に向けて傾斜するテーパ面(30b)が形成され、
前記封印蓋(29)を有底筒体(52)に嵌入した際に、前記突環部(30)が有底筒体(52)の内周面に食い込んで抜け止めされることを特徴とする。
【０００９】
請求項１の発明によれば、封印蓋の軸部に形成した突環部を、有底筒体の内周面に食い込ませて抜け止めを図るよう構成したから、封印蓋が容易に取外されるのを簡単な構成で防止することができる。しかも、突環部は軸部の全周に亘って形成されているから、有底筒体の内周面に食い込む面積が増え、有底筒体からの封印蓋の取外しをより困難とし得る。また、有底筒体に突環部を食い込ませる構成であるから、該有底筒体を単純な形状とすることができ、成型が容易で製作コストを低廉にすることができる。更に、突環部における有底筒体への嵌入方向の前側端縁にテーパ面を形成したから、封印蓋の有底筒体への嵌入は容易となる。更にまた、封印蓋を有底筒体に嵌入する際に、突環部のテーパ面によって有底筒体の内周面を弾性変形して広げることができるから、突環部で内周面が削られるのを抑制し得る。更に、固定具で固定される両連結部自体が別の有底筒体で囲繞されるから、該連結部の破損を防止し得る。
【発明の効果】
【００１０】
本発明に係る遊技機用の基板ケースによれば、封印蓋が有底筒体から不正に取外されるのを簡単な構成で防止することができると共に、製作コストを低廉にし得る。
【図面の簡単な説明】
【００１１】
【図１】本発明の好適な実施例に係るパチンコ機を示す背面図である。
【図２】実施例に係る基板ケースを示す背面図である。
【図３】実施例に係る基板ケースを示す概略斜視図である。
【図４】実施例に係る基板ケースを一部破断して示す要部概略斜視図である。
【図５】実施例に係る基板ケースの結合部を示す要部縦断面図である。
【図６】実施例に係る結合部を封印蓋を嵌入する前の状態で示す縦断面図である。
【図７】実施例に係るカバー状部材を開口側から示す概略斜視図である。
【図８】実施例に係る基板ケースの第１保管部を示す要部縦断面図である。
【図９】実施例に係る基板ケースの第２保管部を示す要部縦断面図である。
【図１０】実施例に係るカバー状部材の第１収納部を示す要部概略斜視図である。
【図１１】実施例に係る第１保持部材を示す概略斜視図である。
【図１２】結合部の別実施例を示す縦断面図である。
【図１３】第１収納部の別実施例を示す縦断面図である。
【発明を実施するための形態】
【００１２】
次に、本発明に係る遊技機用の基板ケースにつき、好適な実施例を挙げて、添付図面を参照しながら、以下詳細に説明する。なお実施例では、遊技球としてパチンコ球を用いるパチンコ機を、遊技機の一例として説明する。また、以下の説明において左・右とは、特に断りのない限り、図１に示すようにパチンコ機を背面側から見た場合において指称するものとする。
【実施例】
【００１３】
図１に示す如く、実施例のパチンコ機１０は、基本的な主要構成として、外枠１１に対して開閉および着脱が可能に組付けられた中枠１２と、この中枠１２に前側から着脱交換可能に収容セットされる遊技盤(図示しない)と、該中枠１２の裏側において左側部でヒンジ接続されて、前記遊技盤の背面側を開閉可能に覆う裏カバー１３等を備えており、これら主要構成体の各部に各種の装置,器具並びに部材等が装着されている。なお図示しないが、中枠１２の前面側には、該中枠１２に配設された遊技盤を透視保護するガラス板が組み付けられた前枠と、パチンコ球を貯留する上球受け皿とを横開き形態で開閉可能に組み付けてある。また、前記中枠１２における上球受け皿の下方には、左右方向の略中央位置に、上球受け皿から溢れたパチンコ球を貯留し得る下球受け皿(図示せず)が配設されている。
【００１４】
前記外枠１１には、パチンコ球を貯留可能な球タンク１４や、該球タンク１４に貯留したパチンコ球を一列に整列するタンクレール１５や、上下の球受け皿や球回収樋等に連通する球流通路が形成される機能部材２０が設けられ、タンクレール１５と機能部材２０に形成された球流通路とは球通路ユニット５５によって連通するよう構成されている。前記裏カバー１３の裏側には、パチンコ機１０の全体を制御するメイン制御基板(制御基板)１６を収納した基板ケース１７が配設されると共に、前記機能部材２０には、メイン制御基板１６に接続されてスピーカや電飾装置を制御するサブ制御基板を基板ケースに収納したサブ制御装置５６、外部から供給された電源を各種制御基板や各種装置に分配供給する電源制御装置１８、その他の各種中継基板１９が配設されている。
【００１５】
前記基板ケース１７は、図２および図３に示すように、前記メイン制御基板１６を収容保護した状態でケース単位で取扱い得るよう構成されて、前記裏カバー１３に対して着脱自在に取付けられる。この基板ケース１７は、前記裏カバー１３に対して装着セットされる皿状部材２１と、この皿状部材２１の開口面側に対して着脱可能に組付けられるカバー状部材２２とから基本的に構成され、両者共に透明な合成樹脂材により一体成型されて、前記メイン制御基板１６を皿状部材２１内に敷設状態で収容すると共に前記カバー状部材２２で覆蓋保護するようになっている。前記の合成樹脂材としては、例えばポリカーボネート(ＰＣ)が挙げられるが、その他の合成樹脂材であってもよい。
【００１６】
前記皿状部材２１とカバー状部材２２とは、夫々の開口側縁部に形成した連結手段を利用して組付け連結されるようになっている。連結手段は、図３〜図５に示すように、前記皿状部材２１の下側縁部２１ａに一体的に成型配置した連結部２３と、カバー状部材２２の対応する下側縁部２２ａに一体的に成型配置した有底円筒状部(連結部)２４と、これら連結部２３と有底円筒状部２４との間にねじ込んで皿状部材２１とカバー状部材２２とを固定するビス(固定具,封印部材)２５とから構成される。なお、実施例では、連結部２３と有底円筒状部２４とからなる結合部２６が、基板ケース１７の左右に離間して複数(実施例では４個)ずつ配置されている。そして、左側に配置される任意の１つの結合部２６と、右側に配置される任意の１つの結合部２６で合計２個の結合部２６において、連結部２３と有底円筒状部２４を夫々ねじ止め固定することで、皿状部材２１とカバー状部材２２とが不正開放不能な状態で固定されるようになっている。すなわち、ねじ止め固定されていない結合部２６は予備であって、実施例の基板ケース１７では、予備の結合部２６を６個備えている。前記ビス２５は、ねじ軸部(軸部)２５ａの軸方向一端に、該軸部２５ａより大径の頭部２５ｂが形成されたものであって、該頭部２５ｂに、ドライバー等の工具によって締付け方向の回転のみが許容される溝(図示せず)が形成された特殊ビスであって、工具による当該ビス２５の弛み外しは不能に構成される。
【００１７】
前記連結部２３は、皿状部材２１における深さ方向に所定長さで延在し、図４に示すように、皿状部材２１の下側縁部２１ａから延出した接合片２１ｂを介して該皿状部材２１に一体的に連設される。そして、該接合片２１ｂを切断することで、連結部２３は皿状部材２１から分離可能に構成されている。また連結部２３には、皿状部材２１における開口側(カバー状部材２２側)に開放する通孔２３ａが穿設され、該通孔２３ａに前記ビス２５がねじ込まれるようになっている(図６参照)。
【００１８】
前記有底円筒状部２４は、図４に示す如く、カバー状部材２２の下側縁部２２ａから延出した接合片２２ｂを介してカバー状部材２２に一体的に連設され、該接合片２２ｂを切断することによりカバー状部材２２から分離可能に構成される。有底円筒状部２４には、図６に示す如く、皿状部材２１の連結部２３から離間する側に開放する挿入孔２７が形成されると共に、連結部２３側に臨む底部２８の略中央に、前記ビス２５のねじ軸部２５ａが挿通される通孔２８ａが穿設されている。また挿入孔２７は、有底円筒状部２４の開口部側が大径に設定されて、該大径孔２７ａと小径孔２７ｂとの間に形成される段部２７ｃに、後述する封印蓋２９の頭部２９ｂが当接して位置規制されるよう構成してある。前記挿入孔２７における小径孔２７ｂは、大径孔２７ａ側から底部２８に向かって適宜先細となるテーパ状に形成されている。また、該小径孔２７ｂにおける底部２８側の内径は、ビス２５の頭部２５ｂの外径よりは大きく設定されおり、ビス２５のねじ軸部２５ａを前記連結部２３の通孔２３ａにねじ込んだときに、頭部２５ｂが底部２８に当接して位置規制するよう構成される。
【００１９】
そして、前記皿状部材２１にカバー状部材２２を組付けセットすると、前述のように構成された連結部２３と有底円筒状部２４とは、連結部２３における通孔２３ａの開口側に有底円筒状部２４の底部２８が整合当接すると共に、連結部２３の通孔２３ａと有底円筒状部２４の通孔２８ａとが整合するよう設定されている。そして、連結部２３と有底円筒状部２４とが整合した左右の離間している２つの結合部２６に対して、有底円筒状部２４の挿入孔２７側から前記ビス２５を皿状部材２１にねじ込むことで、該皿状部材２１とカバー状部材２２とが分離不能に固定されるよう構成される。
【００２０】
実施例の基板ケース１７では、前記メイン制御基板１６の不正改造や交換,変更等の不正行為の防止策として、前記結合部２６をねじ止めしたビス２５の頭部２５ｂを覆って、基板ケース１７の不正な開放を阻止するよう構成される。すなわち、前記有底円筒状部２４の挿入孔２７に、封印蓋(封印部材)２９を取外し不能に嵌着し、ビス２５の頭部２５ｂに対して外部からのアクセスを阻止し、工具による当該ビス２５の不正な弛み外し操作が全く不可能となるようにしてある。
【００２１】
前記封印蓋２９は、前記有底円筒状部２４を形成する合成樹脂より硬い金属材料で形成されている。この金属材料としては、例えば真鍮が挙げられるが、その他の金属材料であってもよい。
【００２２】
前記封印蓋２９は、図６に示す如く、前記有底円筒状部２４の挿入孔２７における小径孔２７ｂに挿入可能な軸部２９ａと、該軸部２９ａの軸方向の一端に形成されて軸部２９ａより大径の頭部２９ｂと、前記軸部２９ａの外周面に突出形成されて軸方向に離間する複数の突環部３０とを備える。軸部２９ａの軸方向の長さは、前記有底円筒状部２４の段部２７ｃに頭部２９ｂが当接した状態で、小径孔２７ｂ内において底部２８に当接している前記ビス２５の頭部２５ｂに接触しない寸法に設定されている。また軸部２９ａは、頭部２９ｂ側から先端に向かって適宜先細となるテーパ状に形成されると共に、該軸部２９ａの軸中心線Ｏに対する外周面の傾斜角度(以下、第１テーパ角度という)θ１は、前記有底円筒状部２４の小径孔２７ｂにおける軸中心線に対する内周面のテーパ角度と同じ(平行)に設定される(例えば３°)。更に、テーパ状に形成される軸部２９ａにおける軸方向の各位置での外径寸法については、頭部２９ｂが段部２７ｃに当接する位置まで軸部２９ａを小径孔２７ｂに挿入した状態において、該小径孔２７ｂの対応する位置における内径寸法以下に設定されている。
【００２３】
前記封印蓋２９の頭部２９ｂは、外径寸法が前記有底円筒状部２４の挿入孔２７における大径孔２７ａの内径よりは小さく、かつ軸方向の長さが大径孔２７ａの軸方向の深さより短かく設定されて、該頭部２９ｂの全体が大径孔２７ａ内に収容可能に構成される。すなわち、封印蓋２９は、有底円筒状部２４の挿入孔２７に嵌入した際に全体が挿入孔２７内に没入して、該有底円筒状部２４の外方に突出する部分が生じないようになっている。なお、頭部２９ｂの外径寸法については、有底円筒状部２４の大径孔２７ａの内径寸法と同一とするのが好ましく、この場合は頭部２９ｂを大径孔２７ａに嵌入した際に、頭部２９ｂの外周面と大径孔２７ａの内周面との間に隙間を生じさせないようにし得る。また頭部２９ｂにおける軸部２９ａとは反対側の端面２９ｃ(大径孔２７ａに収容された際に開口側に臨む面)は、外方に向けて突出するよう湾曲状に形成されて、ドライバー等の工具を接触した際に滑り易くしてある。
【００２４】
前記突環部３０には、前記有底円筒状部２４における小径孔２７ｂの内周面に当接する周面部３０ａと、該突環部３０における有底円筒状部２４に対する嵌入方向の前側端縁に形成されて、前記周面部３０ａから嵌入方向の前側に向かうにつれて軸中心線Ｏに向けて傾斜するテーパ面３０ｂとが形成されている。周面部３０ａは、図６に示す如く、前記軸部２９ａと同じ角度で傾斜するテーパ状に形成されて、前記小径孔２７ｂの内周面と平行となるよう設定される。一方、軸中心線Ｏに対するテーパ面３０ｂの傾斜角度(以下、第２テーパ角度という)θ２は、軸部２９ａの第１テーパ角度θ１より大きく設定されている。また周面部３０ａの外径寸法は、前記頭部２９ｂが有底円筒状部２４の段部２７ｃに当接した状態で、小径孔２７ｂの対応する位置の内径より大きく設定されている。そして、封印蓋２９を有底円筒状部２４に嵌入する際には、前記突環部３０のテーパ面３０ｂで有底円筒状部２４が弾性変形により拡開されて、該突環部３０の嵌入がスムーズに行なわれると共に、頭部２９ｂが有底円筒状部２４の段部２７ｃに当接したときには、複数の突環部３０の夫々が小径孔２７ｂの内周面に食い込むよう構成される。なお、軸部２９ａから周面部３０ａまでの突出寸法は、有底円筒状部２４の材質や厚み等により適宜に設定されるが、例えば０.１〜０.１５ｍｍに設定することで、食い込みによる充分な抜け止め効果が得られる。
【００２５】
前記軸部２９ａに形成される全ての突環部３０における周面部３０ａの軸部２９ａからの突出寸法は、同一に設定されている。すなわち、軸部２９ａの外周面が軸中心線Ｏに対して第１テーパ角度θ１で傾斜していることで、各突環部３０における軸中心線Ｏから周面部３０ａまでの寸法は、軸部２９ａの有底円筒状部２４に対する嵌入方向の前側から後側に向けて順に大きくなっている。これにより、有底円筒状部２４の挿入孔２７に対して封印蓋２９を嵌入し易くなっている。
【００２６】
実施例の基板ケース１７では、前記結合部２６をビス２５でねじ止め固定すると共に封印蓋２９で封印するよう構成したことにより、当該基板ケース１７を開放して収容保護されている前記メイン制御基板１６を正規に検査等する場合であっても、該結合部２６を切除する必要があることから、再度封印する際に必要となる予備のビス２５および封印蓋２９を保管する手段が設けられている。そこで、以下に保管手段の構成について説明する。
【００２７】
すなわち、図３および図７に示す如く、前記カバー状部材２２には、右側縁部２２ｃの外面側に、該カバー状部材２２の開口側(皿状部材２１側)に開放する第１収納部(収納部)３１が一体的に成型されると共に、該カバー状部材２２の左側縁部２２ｄにおける外面側に、該カバー状部材２２の開口側(皿状部材２１側)に開放する第２収納部(収納部)３２が一体的に成型される。また、前記皿状部材２１には、右側縁部２１ｃの外面側に第１蓋部(蓋部)３３が一体的に成型されると共に、該皿状部材２１の左側縁部２１ｄにおける外面側に第２蓋部(蓋部)３４(図９参照)が一体的に成型される。そして、皿状部材２１およびカバー状部材２２を組合わせセットした際に、前記各収納部３１,３２の開口部３１ａ,３２ａが対応する蓋部３３,３４で閉鎖されるよう構成される。第１収納部３１と第１蓋部３３とで、予備の封印蓋２９を収納保管する第１保管部３５が構成され、第２収納部３２と第２蓋部３４とで、予備のビス２５を収納保管する第２保管部３６が構成される。
【００２８】
前記第１収納部３１は、図７,図８および図１０に示すように、カバー状部材２２の開口側に開放する箱状の単純な形状であって、内部に後述する第１保持部材４１が収納状態で着脱自在に取付けられるよう構成される。第１収納部３１には、カバー状部材２２の右側縁部２２ｃに沿う長手方向両側の側壁３７,３８に、該側壁３７,３８の開放端から一段退避した位置において内側に向けて支持部３７ａ,３８ａが突設されており、両支持部３７ａ,３８ａ上に第１保持部材４１が載置されるようになっている。また第１収納部３１には、両側壁３７,３８および両側壁３７,３８間に連設されて右側縁部２２ｃと平行な外部側壁３９に亘り、所定高さで切欠かれた切欠部４０が形成されている。そして、カバー状部材２２と皿状部材２１とを組外した状態において、該切欠部４０によって第１保持部材４１の後述する当接片部４３の一部が露出するよう構成してある。
【００２９】
前記第１蓋部３３は、図３および図８に示す如く、皿状部材２１の開口側に開放する箱状の単純な形状であって、開口端縁部の形状は、前記第１収納部３１の開口縁部の形状と一致し、皿状部材２１およびカバー状部材２２を組合わせセットした際には、第１収納部３１の開口部３１ａを隙間なく閉鎖するよう構成される。
【００３０】
前記第１収納部３１に収納される第１保持部材(保持部材)４１は、図１１に示すように、第１収納部３１に収納可能な長方形状で板状の本体部４２と、該本体部４２の一方の端部(他端部)に折曲形成された当接片部４３と、本体部４２に形成された複数の装着部４４とから構成される。本体部４２の長さ寸法は、前記第１収納部３１における長手方向の寸法(両側壁３７,３８間の離間距離)より大きく設定され、第１保持部材４１を第１収納部３１に収納した際に、当接片部４３が対応する長手方向一方の側壁(他側壁)３７の内面に当接すると共に、本体部４２の他方の端部(一端部)が対応する長手方向他方の側壁(一側壁)３８の内面に当接するよう構成される。また第１保持部材４１は、弾性変形可能な合成樹脂やゴム等の弾性体から形成されて、第１保持部材４１を第１収納部３１に収納した際に、当接片部４３および本体部４２の他方の端部が対応する側壁３７,３８の内面に夫々弾力的に当接して位置決め保持されるようにしてある。なお、当接片部４３が対応する長手方向一方の側壁３７に当接した状態で、図１０に示す如く、第１収納部３１の開口部３１ａ側に臨む当接片部４３の角部が前記切欠部４０に臨むよう構成される。
【００３１】
前記本体部４２に形成される装着部４４は、予備の封印蓋２９を保持するべく機能するものであって、該装着部４４は、前記予備の結合部２６の数と同数だけ本体部４２に形成されている。この装着部４４は、図１１に示す如く、前記封印蓋２９の軸部２９ａより小径の保持用通孔(通孔)４４ａと、この保持用通孔４４ａを画成する内周面に形成されて周方向に離間する複数の凹部(拡開手段)４４ｂとから構成される。そして、保持用通孔４４ａに封印蓋２９の軸部２９ａを挿通することで、該封印蓋２９が第１保持部材４１に保持されるようになっている。なお、凹部４４ｂは、軸部２９ａより小径の保持用通孔４４ａに該軸部２９ａを挿通する際に、保持用通孔４４ａが拡開するのを許容して、保持用通孔４４ａに対する軸部２９ａの挿通の容易化を図るべく機能する。
【００３２】
前記第１保持部材４１における本体部４２の厚みは、前記封印蓋２９における軸方向に隣り合う突環部３０と突環部３０との間の離間距離より小さく設定される。これにより、隣り合う突環部３０,３０の間に本体部４２が臨む位置まで保持用通孔４４ａに軸部２９ａを挿通したときには、該本体部４２が突環部３０,３０で挟まれ、該封印蓋２９の第１保持部材４１からの脱落がより防止されるようになっている。
【００３３】
前記第２収納部３２は、図７および図９に示すように、カバー状部材２２の開口側に開放する箱状の単純な形状であって、内部に後述する第２保持部材４７が収納状態で着脱自在に取付けられるよう構成される。第２収納部３２には、カバー状部材２２の左側縁部２２ｄに沿う長手方向両側の側壁４５,４６に、該側壁４５,４６の開放端から一段退避した位置において内側に向けて支持部４５ａ,４６ａが突設されており、両支持部４５ａ,４６ａ上に第２保持部材４７が載置されるようになっている。
【００３４】
前記第２蓋部３４は、図９に示す如く、前記第２収納部３２における開口部３２ａの内部形状に略合致する平板状の単純な形状であって、皿状部材２１およびカバー状部材２２を組合わせセットした際には、第２収納部３２の開口部３２ａを略隙間なく閉鎖するよう構成される。
【００３５】
前記第２収納部３２に収納される第２保持部材４７は、図９に示すように、前記第２収納部３２に収納可能な長方形状で板状の本体部４８と、該本体部４８の一方の端部(他端部)に折曲形成された当接片部４９と、本体部４８に形成された複数の保持用通孔(装着部)５０とから構成される。本体部４８の長さ寸法は、前記第２収納部３２における長手方向の寸法(両側壁４５,４６間の離間距離)より大きく設定され、第２保持部材４７を第２収納部３２に収納した際に、当接片部４９が対応する長手方向一方の側壁(他側壁)４５の内面に当接すると共に、本体部４８の他方の端部(一端部)が対応する長手方向他方の側壁(一側壁)４６の内面に当接するよう構成される。また第２保持部材４７は、弾性変形可能な合成樹脂やゴム等の弾性体から形成されて、第２保持部材４７を第２収納部３２に収納した際に、当接片部４９および本体部４８の他方の端部が対応する側壁４５,４６の内面に夫々弾力的に当接して位置決め保持されるようにしてある。
【００３６】
前記第２保持部材４７における本体部４８に形成される保持用通孔５０は、予備のビス２５を保持するべく機能するものであって、該保持用通孔５０は、前記予備のビス２５の数と同数だけ本体部４８に形成されている。この保持用通孔５０は、ビス２５のねじ軸部２５ａより小径に設定されており、保持用通孔５０にビス２５のねじ軸部２５ａを挿通することで、該ビス２５が第２保持部材４７に保持されるよう構成される。
【００３７】
〔実施例の作用〕
次に、前述した実施例に係るパチンコ機の基板ケースの作用につき説明する。
【００３８】
前記基板ケース１７は、メーカにおけるパチンコ機１０のメイン組立ラインとは別の組立部署においてその組立てを行なう。先ず、予備の封印蓋２９およびビス２５を、対応する保持部材４１,４７に装着する工程について説明する。すなわち、封印蓋２９については、第１保持部材４１の各装着部４４における保持用通孔４４ａに、軸部２９ａを所定位置まで挿通することで第１保持部材４１に保持させる。この場合に、第１保持部材４１は弾性体で形成されているから、保持用通孔４４ａより大径の軸部２９ａを挿通する際には本体部４２の弾性変形により保持用通孔４４ａが拡開して軸部２９ａの容易な挿通が図られると共に、挿通後には弾性により軸部２９ａを確実に保持できる。また、軸部２９ａに径方向外方に突出する突環部３０が形成されている封印蓋２９の場合は、保持用通孔４４ａに軸部２９ａを挿通する際に突環部３０が抵抗となって挿入し難くなる。しかるに、実施例の装着部４４には、保持用通孔４４ａの拡開を許容する複数の凹部４４ｂが保持用通孔４４ａの内周に形成されているから、軸部２９ａおよび突環部３０の挿通に際して保持用通孔４４ａは容易に拡開し、突環部３０が通る際の抵抗を小さくでき、よって装着部４４に対する封印蓋２９の挿通は容易となる。また、第１保持部材４１における本体部４２が封印蓋２９の隣り合う突環部３０と突環部３０との間に臨む位置まで、軸部２９ａを保持用通孔４４ａに挿通すれば、該本体部４２が突環部３０,３０で挟まれて封印蓋２９の第１保持部材４１からの脱落はより確実に防止される。
【００３９】
前記ビス２５については、第２保持部材４７の各保持用通孔５０に、ねじ軸部２５ａを所定位置まで挿通することで第２保持部材４７に保持させる。この場合に、第２保持部材４７は弾性体で形成されているから、保持用通孔５０より大径のねじ軸部２５ａを挿通する際に該保持用通孔５０は容易に拡開してねじ軸部２５ａの挿通は簡単に行なわれ、また挿通後には弾性によりねじ軸部２５ａは確実に保持される。
【００４０】
前述したように各保持部材４１,４７は弾性体で形成してあるから、該保持部材４１,４７に封印蓋２９やビス２５を装着するに際し、該封印蓋２９やビス２５が破損するのは防止される。また、保持部材４１,４７自体が破損するのも抑制され、該保持部材４１,４７の再利用が可能である。
【００４１】
次に、前記複数の予備の封印蓋２９が装着された第１保持部材４１および複数の予備のビス２５が装着された第２保持部材４７を、前記カバー状部材２２における対応する第１収納部３１および第２収納部３２に収納する。第１保持部材４１については、図８および図１０に示す如く、本体部４２を第１収納部３１の支持部３７ａ,３８ａ上に当接載置する。このとき、本体部４２における当接片部４３が形成されていない端部が第１収納部３１の対応する長手方向他方の側壁３８の内面に当接すると共に、前記当接片部４３が第１収納部３１の対応する長手方向一方の側壁３７の内面に当接することで、当該第１保持部材４１は第１収納部３１内に収納保持される。
【００４２】
また、前記第２保持部材４７については、第１保持部材４１と同様に、図９に示す如く、本体部４８を第２収納部３２の支持部４５ａ,４６ａ上に当接載置する。このとき、本体部４８における当接片部４９が形成されていない端部が第２収納部３２の対応する長手方向他方の側壁４６の内面に当接すると共に、前記当接片部４９が第２収納部３２の対応する長手方向一方の側壁４５の内面に当接することで、当該第２保持部材４７は第２収納部３２内に収納保持される。このように、各収納部３１,３２には、予じめ複数の封印蓋２９およびビス２５が装着された保持部材４１,４７を収納するだけであるので、封印蓋２９およびビス２５を１つずつ収納する従来の技術に比べて格段に作業が簡単となり、作業者の負担を軽減し得る。しかも、収納部３１,３２に封印蓋２９やビス２５を個々に取付けるための部分を成型する必要はないから、収納部３１,３２は単純な形状とすることができ、成型が容易で製作コストを低廉にすることができる。
【００４３】
次に、前記皿状部材２１にメイン制御基板１６を位置決めした状態で、前述したように第１収納部３１および第２収納部３２に対応して第１保持部材４１および第２保持部材４７を収納したカバー状部材２２を、皿状部材２１に組付けセットする。このとき、各保持部材４１,４７は、当接片部４３,４９が対応する側壁３７,４５に対して面接触しているから、各保持部材４１,４７が対応する収納部３１,３２から簡単に脱落することはなく、皿状部材２１とカバー状部材２２との組付けに際して保持部材４１,４７が落脱しないように気を付けて作業を行なう必要はなく、作業性がよい。
【００４４】
前記皿状部材２１およびカバー状部材２２を組付けセットすると、図４,図５,図８および図９に示す如く、カバー状部材２２に形成した第１収納部３１および第２収納部３２は、皿状部材２１に形成した第１蓋部３３および第２蓋部３４で閉鎖され、保持部材４１,４７が収納部３１,３２から脱落することは完全になくなる。また、皿状部材２１の下側縁部２１ａに成型した各連結部２３の開口側に、カバー状部材２２の下側縁部２２ａに成型した対応する有底円筒状部２４の底部側が夫々整合する(図３参照)。
【００４５】
図６に示す如く、整合した連結部２３と有底円筒状部２４とからなる任意位置の結合部２６において、有底円筒状部２４の通孔２８ａに挿通したビス２５のねじ軸部２５ａを、整合した連結部２３の通孔２３ａにねじ込むことで、皿状部材２１とカバー状部材２２とが固定される。次に、有底円筒状部２４の挿入孔２７に、前記封印蓋２９を嵌入することで、前記ビス２５の頭部２５ｂは封印蓋２９で覆われ、外部からビス２５にアクセスするのを完全に防止できる。
【００４６】
前記封印蓋２９は、軸部２９ａに形成した複数の突環部３０を、有底円筒状部２４の内周面に食い込ませて抜け止めを図るよう構成したものであるから、封印蓋２９が容易に取外されるのを簡単な構成で防止することができる。また、有底円筒状部２４が合成樹脂製であるのに対して封印蓋２９は金属製であるから、前記突環部３０を有底円筒状部２４の内周面に強固に食い込ませることができる。しかも、突環部３０は軸部２９ａの全周に亘って形成されているから、有底円筒状部２４の内周面に食い込む面積は大きく、有底円筒状部２４からの封印蓋２９の取外しを困難とし得る。更にまた、突環部３０の周面部３０ａを有底円筒状部２４の内周面と平行に形成したので、有底円筒状部２４と突環部３０との接触面積をより大きくすることができ、有底円筒状部２４からの封印蓋２９の取外しを更に抑制し得る。また、有底円筒状部２４の内部に被係合部等を形成する必要はなく、有底円筒状部２４を単純な形状として製作コストを低廉にすることができる。
【００４７】
前記有底円筒状部２４の挿入孔２７に嵌入された封印蓋２９の頭部２９ｂは、図４および図５に示す如く、大径孔２７ａ内に完全に収容されているから、ペンチ等の工具を用いて封印蓋２９の頭部２９ｂを把持して取外す不正行為を防止し得る。また、封印蓋２９の頭部２９ｂの端面２９ｃを湾曲状に形成してあるので、該端面２９ｃにドライバー等を叩き込む不正行為が行なわれた場合であっても、該ドライバー等が滑って端面２９ｃに簡単に叩き込まれることはなく、不正行為を抑制し得る。すなわち、有底円筒状部２４に嵌入された封印蓋２９を不正に取外そうという行為に対し、該封印蓋２９は高い防御力を有している。
【００４８】
前記封印蓋２９の突環部３０には、有底円筒状部２４への嵌入方向の前側端縁にテーパ面３０ｂを形成してあるから、封印蓋２９を有底円筒状部２４に嵌入する際には、テーパ面３０ｂによって有底円筒状部２４の内周面が徐々に広げられ、封印蓋２９の有底円筒状部２４への嵌入は容易になると共に、突環部３０で内周面が削られるのは抑制される。また、軸方向に離間する突環部３０と突環部３０との間には隙間があるから、封印蓋２９を有底円筒状部２４に嵌入する際に変形する部分が該隙間に逃げて入り込むことで、変形部分によって嵌入抵抗が大きくなるのを抑えることができ、封印蓋２９の嵌入は容易となる。更に、複数の突環部３０の径寸法は、有底円筒状部２４に対する嵌入方向の前側から後側に向けて順に大きくなるよう設定してあるから、複数の突環部３０が形成されていても有底円筒状部２４に対する嵌入を容易に行ない得る。しかも、各突環部３０のテーパ面３０ｂにより有底円筒状部２４の内周面が削られるのは抑制されるから、先に嵌入される突環部３０によって内周面が削られて内径が大きくなることはなく、後側の突環部３０を内周面に確実に食い込ませることができる。
【００４９】
前述したように不正開放不能に封印された基板ケース１７は、図１に示すように裏カバー１３に装着セットされて使用に供される。この場合に、前記第１保管部３５および第２保管部３６は、前記メイン制御基板１６が収納されている基板ケース１７内ではなく、該基板ケース１７の側縁に設けられているから、該保管部３５,３６によってメイン制御基板１６の外部からの視認を妨げることはない。また、予備の封印蓋２９やビス２５は、保管部３５,３６に収納されているから、該封印蓋２９やビス２５が盗難されるのは抑制される。なお、基板ケース１７を裏カバー１３に装着セットする際や、該基板ケース１７を運搬する際に、封印蓋２９やビス２５が基板ケース１７から脱落して紛失するのも防止される。
【００５０】
前記ビス２５および封印蓋２９によって不正開放不能に封印された基板ケース１７において、前記メイン制御基板１６を正規に検査等する際には、前記係合片２１ｂ,２２ｂを切断することで、ビス止め固定されている結合部２６を切除する。そして、検査後に基板ケース１７を再度封印する場合は、前記カバー状部材２２の第１収納部３１から取出した第１保持部材４１から封印蓋２９を取外すと共に、第２収納部３２から取出した第２保持部材４７からビス２５を取外す。両保持部材４１,４７を対応する収納部３１,３２に収納した後、前述したと同様に皿状部材２１およびカバー状部材２２を組付けセットすると共に、ビス２５を対応する結合部２６にねじ止めし、封印蓋２９を嵌入することで再封印が完了する。
【００５１】
前述したように各保持部材４１,４７は皿状部材２１やカバー状部材２２とは別体であるから、収納部３１,３２から取出した外部で封印蓋２９やビス２５の取外し作業を行なうことができ、作業性がよい。また、前記第１収納部３１に収納されている第１保持部材４１においては、図１０に示す如く、カバー状部材２２から皿状部材２１を取外して第１収納部３１を開放した状態では、第１保持部材４１の当接片部４３の一部が前記切欠部４０を介して露出する。従って、当接片部４３の露出部分を把持して第１保持部材４１を第１収納部３１から簡単に取出すことができる。
【００５２】
前記基板ケース１７自体が破損したり、あるいは全ての結合部２６を使用することで再封印が不能になった場合や、パチンコ機を回収した際には、前記保持部材４１,４７を他の基板ケースで再利用することができ、リサイクル性が向上する。
【００５３】
(別実施例)
図１２は、結合部の別実施例を示すものであって、基本的な構成は実施例と同一であるので、異なる部分についてのみ説明し、同一の部分には同じ符号を付すものとする。
【００５４】
すなわち、図１２に示す別実施例の結合部５１は、前記連結部２３と有底円筒状部２４とを収容する別体の有底筒体５２を用いている。この有底筒体５２は、底部側に連結部２３を収容する第１収容部５２ａが形成されると共に、開口側に有底円筒状部２４を収容する第２収容部５２ｂが形成されている。第２収容部５２ｂと開口との間には、有底円筒状部２４の挿入孔２７と同様な挿入孔５３が形成されており、これら第１収容部５２ａ、第２収容部５２ｂおよび挿入孔５３は相互に連通している。挿入孔５３は、大径孔５３ａと小径孔５３ｂとからなり、両孔５３ａ,５３ｂ間に段部５３ｃが形成されており、該挿入孔５３に封印蓋２９が嵌入されるようになっている。別実施例では、皿状部材２１に設けられる連結部２３が第１連結部として機能し、カバー状部材２２に設けられる有底円筒状部２４の底部２８が第２連結部として機能する。
【００５５】
別実施例で使用される封印蓋２９は、実施例と相似形であって、有底筒体５２の挿入孔５３に挿入した際に、外周面に形成された突環部３０が小径孔５３ｂの内周面に食い込んで、該封印蓋２９が抜け止めされるようになっている。
【００５６】
すなわち、別実施例では、皿状部材２１の連結部２３とカバー状部材２２の有底円筒状部２４とをビス２５でねじ止め固定したもとで、連結部２３および有底円筒状部２４を対応する収容部５２ａ,５２ｂに収容するように有底筒体５２を取付ける。この状態で、有底円筒状部２４より開口側に位置する有底筒体５２の挿入孔５３に、前記封印蓋２９を嵌入することで、前記ビス２５の頭部２５ｂは封印蓋２９によって覆われ、外部からのアクセスを防止し得る。
【００５７】
図１３は、第１収納部の別実施例を示すものであって、基本的な構成は実施例と同一であるので、異なる部分についてのみ説明し、同一の部分には同じ符号を付すものとする。
【００５８】
すなわち、図１３に示す別実施例では、第１収納部３１の内底面に開口側に向けて突出する凸部５４が、長手方向の略全長に亘って形成されている。この凸部５４には、前記第１保持部材４１に装着した各封印蓋２９と対応する位置に凹部５４ａが形成されており、第１保持部材４１を凸部５４上に載置した際に、各凹部５４ａに封印蓋２９の軸部２９ａが挿入されるようになっている。
【００５９】
図１３に示す別実施例では、前記第１収納部３１に第１保持部材４１を収納した際に、各封印蓋２９の軸部２９ａが夫々凹部５４ａに挿入されるから、第１保持部材４１の収納状態が安定する。なお、凹部５４ａは、封印蓋２９の軸部２９ａを保持する機能はなく、単純な形状であるので、第１収納部３１の成型が複雑になって製作コストが高くなることはない。
【００６０】
(変更例)
本願は前述した実施例や別実施例の構成に限定されるものではなく、その他の構成を適宜に採用することができる。
(1) 実施例では、皿状部材とカバー状部材を固定する固定具として締付け専用の特殊なビスを用いた場合で説明したが、固定具としては、弛み外しも可能な普通の廉価なビスを使用してもよい。また封印蓋を、皿状部材とカバー状部材との固定具として利用することも可能である。
(2) 実施例では、皿状部材に連結部を設け、カバー状部材に有底円筒状部を設けた場合で説明したが、実施例とは逆に皿状部材に有底円筒状部を設け、カバー状部材に連結部を設けてもよい。
(3) 実施例では、封印蓋に３つの突環部を設けた場合で説明したが、突環部の数については、１つ、２つまたは４つ以上であってもよい。
(4) 実施例では、封印蓋における頭部の端面を湾曲状に形成した場合で説明したが、開口側に向けて突出する円錐や角錐形等、工具が滑り易い形状であればよい。
(5) 基板ケースに収納される制御基板は、実施例のメイン制御基板に限らず、サブ制御基板、その他の制御基板であってもよい。
(6) 実施例では、皿状部材に蓋部を設け、カバー状部材に収納部を設けた場合で説明したが、実施例とは逆に皿状部材に収納部を設け、カバー状部材に蓋部を設けてもよい。
(7) 実施例では、第１保持部材に設けた保持用通孔の拡開を許容するための拡開手段として凹部を設けた場合で説明したが、これに限定されるものでなく、径方向に延在する切込み等、保持用通孔の拡開を許容し得るものであればよい。
(8) 実施例では、第１保持部材として、本体部に当接片部を予め折曲形成した形態で説明したが、これに限定されるものでなく、本体部の長さ寸法を第１収納部より長く設定し、本体部を第１収納部に収納した際に一端部が折曲することで、側壁内面に当接する当接片部が形成される形態であってもよい。
(9) 第１保持部材および第１収納部に、係脱可能な係合部と被係合部を設け、該係合部および被係合部によって第１収納部に第１保持部材を保持する構成を採用することができる。
(10) 第２保持部材および第２収納部に関しては、第１保持部材や第１収納部と同じ構成とすることができ、また前記(7)〜(9)の変更例を採用可能し得る。
(11) 実施例では、封印蓋とビスとを別々に保持部材に装着する場合で説明したが、同じ保持部材に封印蓋とビスを装着してもよく、また１つの収納部に封印蓋とビスを保管するようにしてもよい。
(12) 基板ケースに対して結合部、第１保管部および第２保管部を形成する位置は、実施例の位置に限定されるものではなく、基板ケースの側縁部であればどの位置であってもよい。
(13) 第２蓋部に、第２保持部材に保持されている各ビスと対応する位置に通孔を穿設し、第２保持部材を収納した第２収納部を第２蓋部で閉鎖したときに、各通孔に対応するビスのねじ軸部が夫々挿通される構成を採用し得る。この構成では、第２収納部に第２保持部材を収納した状態で、各ビスは安定して保持される。
【００６１】
本発明に係る遊技機用の基板ケースは、以下のように構成することもできる。
〔付記〕
（Ａ）  皿状部材(21)と、該皿状部材(21)の開口面側に合わせて着脱可能に組合わせセットされるカバー状部材(22)とを備え、皿状部材(21)およびカバー状部材(22)内に遊技機を制御する制御基板(16)が収容される遊技機用の基板ケースにおいて、
前記皿状部材(21)およびカバー状部材(22)の一方に一体成型された連結部(23)と、
前記皿状部材(21)およびカバー状部材(22)の他方に一体成型され、前記皿状部材(21)およびカバー状部材(22)を組合わせセットした際に前記連結部(23)に底面側を臨ませた有底円筒状部(24)と、
前記有底円筒状部(24)内に頭部(25b)を臨ませて該有底円筒状部(24)と前記連結部(23)とを連結固定する固定具(25)と、
前記有底円筒状部(24)に嵌入される封印蓋(29)とを備え、
前記封印蓋(29)は、
前記有底円筒状部(24)に挿入される軸部(29a)の外周面に、突環部(30)が突出形成され、
前記突環部(30)に、前記有底円筒状部(24)の内周面に当接する周面部(30a)が形成されると共に、該突環部(30)における有底円筒状部(24)に対する嵌入方向の前側端縁に、前記周面部(30a)から嵌入方向の前側に向かうにつれて軸中心に向けて傾斜するテーパ面(30b)が形成され、
前記封印蓋(29)を有底円筒状部(24)に嵌入した際に、前記突環部(30)が有底円筒状部(24)の内周面に食い込んで抜け止めされることを特徴とする。
この構成によれば、封印蓋の軸部に形成した突環部を、有底円筒状部の内周面に食い込ませて抜け止めを図るよう構成したから、封印蓋が容易に取外されるのを簡単な構成で防止することができる。しかも、突環部は軸部の全周に亘って形成されているから、有底円筒状部の内周面に食い込む面積が増え、有底円筒状部からの封印蓋の取外しをより困難とし得る。また、有底円筒状部に突環部を食い込ませる構成であるから、該有底円筒状部を単純な形状とすることができ、成型が容易で製作コストを低廉にすることができる。更に、突環部における有底円筒状部への嵌入方向の前側端縁にテーパ面を形成したから、封印蓋の有底円筒状部への嵌入は容易となる。更にまた、封印蓋を有底円筒状部に嵌入する際に、突環部のテーパ面によって有底円筒状部の内周面を弾性変形して広げることができるから、突環部で内周面が削られるのを抑制し得る。
（Ｂ）  前記（Ａ）記載の遊技機用の基板ケースに関して、
前記突環部(30)の周面部(30a)は、前記有底円筒状部(24)の内周面と平行に形成されることを要旨とする。
この構成によれば、突環部の周面部を有底円筒状部の内周面と平行に形成したので、有底円筒状部と突環部との接触面積が増え、有底円筒状部からの封印蓋の取外しをより抑制することができる。
（Ｃ）  前記（Ａ）または（Ｂ）記載の遊技機用の基板ケースに関して、
前記封印蓋(29)は金属製であり、前記有底円筒状部(24)は合成樹脂製であることを要旨とする。
この構成によれば、合成樹脂製の有底円筒状部に対して金属製の封印蓋を嵌入することで、前記突環部が有底円筒状部の内周面に強固に食い込み、有底円筒状部からの封印蓋の取外しをより抑制することができる。
（Ｄ）  前記（Ａ）〜（Ｃ）の何れか一項に記載の遊技機用の基板ケースに関して、
前記軸部(29a)には、前記突環部(30)が軸方向に離間して複数形成され、これら複数の突環部(30)の径寸法は、軸部(29a)の有底円筒状部(24)に対する嵌入方向の前側から後側に向けて順に大きくなるよう設定されることを要旨とする。
この構成によれば、突環部を複数設けたから、有底円筒状部から封印蓋の取外しをより確実に抑制することができる。また、軸方向に離間する突環部と突環部との間に、封印蓋を有底円筒状部に嵌入する際に変形する有底円筒状部の対応部分が入り込むことで、嵌入が容易となる。更に、複数の突環部の径寸法を、有底円筒状部に対する嵌入方向の前側から後側に向けて順に大きくなるよう設定することで、有底円筒状部に対する嵌入が容易になると共に、各突環部に設けられたテーパ面で有底円筒状部の内周面を弾性変形して広げつつ嵌入されるから、突環部で内周面が削られるのを抑制して、後側の突環部を内周面に確実に食い込ませることができる。
（Ｅ）  前記（Ａ）〜（Ｄ）の何れか一項に記載の遊技機用の基板ケースに関して、
前記封印蓋(29)は、前記有底円筒状部(24)の内部に没入するよう構成されると共に、該封印蓋(29)における有底円筒状部(24)の開口側に臨む端面(29c)は、開口側に向けて突出した形状に形成されることを要旨とする。
この構成によれば、有底円筒状部内に封印蓋を没入することで、ペンチ等の工具を用いて封印蓋を把持して取外す不正行為を防止し得る。また、封印蓋における有底円筒状部の開口側に臨む端面を、開口側に突出するよう形成することで、該端面にドライバー等を叩き込む不正行為を行なう際に、該ドライバー等が滑り易くなって端面に叩き込まれるのを防止することができる。
【符号の説明】
【００６２】
１６  メイン制御基板(制御基板)
２１  皿状部材
２２  カバー状部材
２３  第１連結部
２８  第２連結部
２５  ビス(固定具)
２５ｂ  頭部
２９  封印蓋
２９ａ  軸部
３０  突環部
３０ａ  周面部
３０ｂ  テーパ面
５２  有底筒体
【図１】
0005422715.tif 000002
【図２】
0005422715.tif 000003
【図３】
0005422715.tif 000004
【図４】
0005422715.tif 000005
【図５】
0005422715.tif 000006
【図６】
0005422715.tif 000007
【図７】
0005422715.tif 000008
【図８】
0005422715.tif 000009
【図９】
0005422715.tif 000010
【図１０】
0005422715.tif 000011
【図１１】
0005422715.tif 000012
【図１２】
0005422715.tif 000013
【図１３】
0005422715.tif 000014